(57)【要約】【課題】引掛け部材に対する鎌錠の鎌部材のかかり具合を良好なものとすることができる受け装置を提供する。【解決手段】戸枠２に取り付けられる受け箱６内に引掛け部材７を設け、この引掛け部材７に、引き戸に取り付けられる鎌錠の鎌部材が、前方側から受け箱６内に挿入して係合する係合面５４を備え、この引掛け部材７の係合面５４の、上下方向に対する、前後方向Ａへの傾きを調整自在とする。【選択図】　　　図１
2004124383.tif 000002
【特許請求の範囲】
【請求項１】
戸枠に取り付けられる受け箱内に引掛け部材を設け、この引掛け部材に、引き戸に取り付けられる鎌錠の鎌部材が、受け箱内に前方側から挿入して係合する係合面を備え、この引掛け部材の係合面の、上下方向に対する、前後方向への傾きを調整自在としたことを特徴とする鎌錠用受け装置。
【請求項２】
引掛け部材を前後方向に位置調整自在としたことを特徴とする請求項１に記載の鎌錠用受け装置。
【請求項３】
受け箱に、前後方向の軸心を有する前後位置調整ネジを軸心回りに回動自在に設け、この前後位置調整ネジに引掛け部材の基部側を螺合させ、前後位置調整ネジを回動することにより引掛け部材を前後方向に移動自在とし、前後位置調整ネジと引掛け部材との螺合部分のネジのクリアランスによって、引掛け部材の係合面が、上下方向に対して、前後方向へ傾くように構成されていることを特徴とする請求項１又は２に記載の鎌錠用受け装置。
【請求項４】
引掛け部材と一体移動するホルダを設け、このホルダに、前後方向に進退して、引掛け部材の係合面の、上下方向に対する、前後方向への傾きを調整する傾き調整ネジを設けたことを特徴とする請求項３に記載の鎌錠用受け装置。
【請求項５】
戸枠に設けられる受け箱内に、引き戸に設けられる鎌錠の鎌部材が係合する引掛け部材を設け、戸枠に固定される固定フレームを設け、この固定フレームに対して前記受け箱が上下移動自在とされ、固定フレーム側に上下方向に所定間隔をおいて設けられた噛合歯を有するラックを設け、このラックの噛合歯に噛合して受け箱の上下位置を調整するピニオンを受け箱側に設けたことを特徴とする鎌錠用受け装置。
【発明の詳細な説明】
【０００１】
【発明の属する技術分野】
本発明は、戸枠側に設けられていて、引き戸に設けられた鎌錠の鎌部材が係脱自在に係合する引掛け部材を備えた受け装置に関するものである。
【０００２】
【従来の技術】
従来、引き戸の施錠に用いられる錠装置として鎌錠装置があり、この鎌錠装置は、引き戸に取り付けられる鎌錠と、戸枠に取り付けられる受け装置とから構成されている。
この鎌錠装置として、図８及び図９に示すものがある（特許文献１参照）。
この図例の鎌錠装置６１は、引き戸６２が閉まった際に、鎌錠６３の鎌部材６４が自動的に出て、受け装置６５の引掛け部材６６へ引っ掛かり、閉まった状態から引き戸６２を開ける方向に引くと鎌部材６４が自動的に引掛け部材６６から外れて、錠ケース６７内へ収納されるようにしたものである。
【０００３】
図８及び図９において、鎌錠６３は、引き戸６２の戸先側に形成した凹所内に収納状に設けられた錠ケース６７を有し、この錠ケース６７内の前上部に、鎌部材６４が支軸６８を介して回動可能に軸支されており、この鎌部材６４は、先端部６４ａが、錠ケース６７の前面板６９の開口７０から出て、戸枠７１の縦框に取り付けた受け装置６５の受け箱７２内へ挿入し、該受け箱７２内の上部側に設けた引掛け部材６６に引っ掛かるようになっている。
また、錠ケース６７内の下部には、トリガー７３が前後方向移動可能に設けられ、このトリガー７３は、鎌部材６４とトリガー７３とを連結する作動部材７４を介して、鎌部材６４と作動部材７４とにわたって設けられたバネ７５の付勢を受け、常時は先端側が錠ケース６７の前面板６９の孔７６から突出しており、戸枠７１側に当接して押された際に、錠ケース６７内へ後退する。
【０００４】
作動部材７４は、下部側が錠ケース６７に固定の軸７７で回動可能に軸支されており、上部に設けたピン７８を鎌部材６４に形成した長孔７９に係合させて連結し、下部に形成した二股状部８０を、トリガー７３の後部側に設けたピン８１に係合させて連結してある。
前記バネ７５は、鎌部材６４の支軸６８の中心とバネ７５の他端部７５ａを掛止した軸７７とを結ぶ線分Ｌを境にして、バネ７５の一端部７５ｂの中心位置Ｑが線分Ｌよりも前方にある際には、バネ力は鎌部材６４を前方へ回動させるように付勢し、中心位置Ｑが線分Ｌよりも後方にある際には、鎌部材６４を後方へ回動させるように付勢している。
【０００５】
鎌部材６４の下方位置には、下部に重り部８３を有し、前上部に係止用部８４を有する揺動部材８５が設けられ、この揺動部材８５は、引き戸６２を閉めた際の慣性力で下部の重り部８３が前方へ揺動し、その後、自重で後方へ揺動可能とされている。
また、揺動部材８５は、引き戸６２を閉めて鎌部材６４の先端部６４ａが引掛け部材６６に係合した状態の時に、慣性力で重り部８３が前方へ揺動することにより、係止用部８４が鎌部材６４の周端縁の一部６４ａの後下部へ位置し、後下方から一瞬間だけ支承可能となるものである。
【０００６】
揺動部材８５は、上部に横軸８６が挿通され、この横軸８６は、錠ケース６７に対して昇降可能な軸受け部材９０に軸支されており、この軸受け部材９０は、バネ９１によって上方へ付勢されている。
このバネ９１のバネ力は、引き戸６２のバウンド力が鎌部材６４を後方へ回動させようとする程度の力では、揺動部材８５及び軸受け部材９０が降下しないが、引き戸６２を強い力で開ける際には、鎌部材６４が後方へ回動しようとして周端縁の一部６４ａで該揺動部材８５及び軸受け部材９０を押し下げ得る程度の力である。
【０００７】
揺動部材８５の係止用部８４は、横軸８６を中心に回動して鎌部材６４の周端縁の一部６４ａへ下方から係合可能な凸円弧状に形成し、それに対応して鎌部材６４の後下部の周端縁の一部６４ａは、凹円弧状に形成してある。
また、錠ケース６７の前面板６９と戸枠７１の受け装置６５との間で、取付け時やその後の上下位置関係を適切に設定するために、前面板６９の一部に位置決め用突起９２を突設し、受け装置６５の前面板８７に、前記突起９２が係合可能な位置決め用凹所９３を形成し、且つ受け装置６５の戸枠７１への取付用孔９４を上下方向に長い長孔に形成してある。
【０００８】
前記構成の鎌錠装置６１にあっては、引き戸６２が開いた状態では、図８に示すように、鎌部材６４は後方へ回動して錠ケース６７内へ没入しており、かつトリガー７３は、その状態の鎌部材６４に対応して作動部材７４で前方へ押され、錠ケース６７の前面板６９の孔７６から前方へ突出している。
引き戸６２を閉じた際には、まずトリガー７３の先端が戸枠７１側に当接して後退し、該トリガー７３の後退に伴い、それと鎌部材６４とを連結した作動部材７４が、一端部７５ｂを鎌部材６４に取付けたバネ７５のバネ力に抗して鎌部材６４を前方へ押し、回動させ、該鎌部材６４の前方への回動により、バネ７５の一端部７５ｂの位置Ｑが、鎌部材６４の支軸６８と該バネ７５の他端部７５ａとを結ぶ基準線Ｌ上より前方へ出ると、バネ力は鎌部材６４を前方へ回動させる方向へ付勢することになる。
【０００９】
そのため、鎌部材６４は自動的にさらに前方へ回動され、その先端部６４ａが戸枠７１の受け箱２内へ入って引掛け部材６６の係合面６６ａに係合し、鎌錠６３が自動的に仮施錠状態となる。
引き戸６２を開ける場合には、鎌錠６３が仮施錠状態で、引き戸６２を開き方向に強制的に引くと、鎌部材６４の先端部６４ａが引掛け部材６６の係合面６６ａに引っ掛かったままで、引き戸６２と一緒に鎌部材６４の支軸６８が後退し、引掛け部材６６から離れていくので、鎌部材６４の先端部６４ａが引掛け部材６６の係合面６６ａに案内されて、遂には支軸６８を中心に後方へ回動し始め、先端部６４ａが引掛け部材６６から外れることになる。
【００１０】
受け装置６５の引掛け部材６６は、回動可能な調節ネジ９５により、その位置を前後方向へ可変としてあり、また、仮施錠状態の鎌部材６４を本施錠状態にするのに、トリガー７３の後部寄り部分に、ロック部材が係脱自在に係合するロック用係止部９６が形成されている。
【００１１】
【特許文献１】
特開平１０−２９２６９３号公報
【００１２】
【発明が解決しようとする課題】
前記従来の受け装置６５にあっては、引き戸６２を開ける力によって、鎌部材６４の先端部６４ａが引掛け部材６６の係合面６６ａに案内されて鎌部材６４が引掛け部材６６から外れるように構成されているので、引掛け部材６６に対する鎌部材６４のかかり具合を良好なものにしなければならないが、例えば、初期段階では、引掛け部材６６に対する鎌部材６４のかかり具合が良好であっても、引き戸６２は、戸車の片減りなどによって、図７（ａ）に示すように、上部側が、戸枠７１から離れるように傾く場合があり、このような場合に、引掛け部材６６に対する鎌部材６４のかかり具合が悪くなり、引き戸６２を閉めた際に、鎌部材６４が錠ケース６７内に戻ってしまうという事態か発生する惧れがある。
【００１３】
また、引き戸６２は、図７（ｂ）に示すように、下部側が、戸枠７１から離れるように傾く場合があり、このような場合には、逆に、引き戸６２を開ける力によっては、鎌部材６４が引掛け部材６６から外れにくくなるという事態が発生し、鎌錠６３を解錠できなかったり、鎌部材６４の先端部６４ａが引掛け部材６６の下端側に当たって施錠できなかったりする惧れがある。
また、これらを見越して、最初から、引掛け部材６６に、鎌部材６４が抜けにくい方向又は鎌部材６４が抜けやすい方向に、傾斜を付けておくこともできない。
【００１４】
また、鎌錠には、引き戸を閉じた後に手動で鎌部材を突出させて戸枠の引掛け部材に係合させ、また、引き戸を開ける際も手動で鎌部材を引掛け部材から外して錠ケース内へ収納させてから、引き戸を開けるようにしたもの、引き戸が閉まった際には鎌部材が自動的に出て、戸枠の引掛け部材へ引っ掛かるが、引き戸を開ける際は手動で鎌部材を引掛け部材から外し、錠ケース内へ収納させてから、引き戸を開けるようにしたものがあるが、これらのものにおいても、戸車の片減りなどによって、引掛け部材に対する鎌錠のかかり具合が悪くなり、最初の設定状態では対応できなくなる場合がある。
【００１５】
また、前記従来のものにあっては、受け装置の戸枠７１への取付用孔９４を上下方向に長い長孔に形成しており、これによって、引掛け部材６６に対する鎌錠６３の鎌部材６４のかかり具合を調整するために、引掛け部材６６の上下位置の調整ができるようになっているが、この調整作業がし難く、また、微妙な調整が困難である。
そこで、本発明は、前記問題点に鑑みて、引掛け部材に対する鎌錠の鎌部材のかかり具合を良好なものとすることができる受け装置を提供することを目的とする。
【００１６】
【課題を解決するための手段】
本発明が技術的課題を解決するために講じた技術的手段は、戸枠に取り付けられる受け箱内に引掛け部材を設け、この引掛け部材に、引き戸に取り付けられる鎌錠の鎌部材が、受け箱内に前方側から挿入して係合する係合面を備え、この引掛け部材の係合面の、上下方向に対する、前後方向への傾きを調整自在としたことを特徴とする。
また、引掛け部材を前後方向に位置調整自在とするのがよい。
【００１７】
また、受け箱に、前後方向の軸心を有する前後位置調整ネジを軸心回りに回動自在に設け、この前後位置調整ネジに引掛け部材の基部側を螺合させ、前後位置調整ネジを回動することにより引掛け部材を前後方向に移動自在とし、前後位置調整ネジと引掛け部材との螺合部分のネジのクリアランスによって、引掛け部材の係合面が、上下方向に対して、前後方向へ傾くように構成されるのがよい。
また、引掛け部材と一体移動するホルダを設け、このホルダに、前後方向に進退して、引掛け部材の係合面の、上下方向に対する、前後方向への傾きを調整する傾き調整ネジを設けるのがよい。
【００１８】
また、他の技術的手段は、戸枠に設けられる受け箱内に、引き戸に設けられる鎌錠の鎌部材が係合する引掛け部材を設け、戸枠に固定される固定フレームを設け、この固定フレームに対して前記受け箱が上下移動自在とされ、固定フレーム側に上下方向に所定間隔をおいて設けられた噛合歯を有するラックを設け、このラックの噛合歯に噛合して受け箱の上下位置を調整するピニオンを受け箱側に設けたことを特徴とする。
【００１９】
【発明の実施の形態】
以下、本発明の実施の形態を図面を参照して説明する。
図１〜図３において、１は、引き戸を施錠する鎌錠用の受け装置である。
鎌錠は従来例と同様のものが採用されるので説明を省略する（なお、本発明の受け装置１は、従来技術で開示した鎌錠を備えた鎌錠装置のほか、手動の摘みを回動または上下等に移動させることにより鎌部材が引き戸の戸先端面から出退自在に突出するタイプの鎌錠を備えた鎌錠装置等に採用できる）。
【００２０】
受け装置１は、引き戸の戸先端面に対向する戸枠２の縦框に、該縦框に形成された凹所３に収納状とされて取り付けられており、カバープレート４と、固定フレーム５と、受け箱６と、引掛け部材７等とを備えている。
なお、本実施の形態において、以下、引き戸の移動方向Ａを前後方向といい、凹所３の、開口端から奥に向かう方向（受け箱６の奥行き方向）を後方、凹所３の、奥から開口端に向かう方向を前方といい、引き戸の移動方向Ａ及び上下方向Ｂに直交する横方向Ｃを左右方向という。
【００２１】
カバープレート４は、受け装置１の前面側に配置されており、中央側に矩形状（上下方向Ｂに長い長方形状）の開口部８を有し、上下部分が戸枠２の端面に、該カバープレート４を貫通して戸枠２にねじ込まれた取付ネジ９によって取付固定されている。
固定フレーム５は、上下壁１１，１２、左右側壁１３、後壁（背面壁）１４、上壁１１前縁から上方に延びる上取付壁１５及び下壁１１前縁から下方に延びる下取付壁１６を有し、上下の取付壁１５，１６が、カバープレート４と戸枠２との間に介装され、上下の取付壁１５，１６を貫通する前記取付ネジ９によって、カバープレート４と共に戸枠２に取付固定されている。
【００２２】
受け箱６は、固定フレーム５内に収納状とされ、前面のフロントプレート１８と、後側の本体部１９とから主構成されている。
フロントプレート１８は、縁部側がカバープレート４の背面（裏面）に重ね合わされ、中央側が、カバープレート４の開口部８内に突出するように前方に向けて押し出されている。
この突出部分２０は矩形状（上下方向Ｂに長い長方形状）に形成されており、該突出部分２０の左右方向Ｃの幅が、開口部８の左右方向Ｃの幅に略一致しており、また、突出部分２０の上下方向Ｂの長さが開口部８の上下方向Ｂの長さよりも短く形成されており、したがって、カバープレート４に対してフロントプレート１８が上下方向Ｂに移動自在で左右方向Ｃに移動不能とされている。
【００２３】
また、フロントプレート１８には、鎌錠の鎌部材が受け箱６内に出入りするための矩形状（上下方向Ｂに長い長方形状）の開口部２１が形成されていると共に、この開口部２１の上縁から上方に延設された切欠き部２２が形成されている。なお、フロントプレート１８の下部には、鎌錠に設けられた位置決め用突起が係合可能な位置決め用の孔２３が形成されている。
本体部１９は、上下壁２５，２６、左右側壁２７、後壁（背面壁）２８、上壁２５前縁から上方に延びる上取付壁２９及び下壁２６前縁から下方に延びる下取付壁３０を有し、上下の取付壁２９，３０が、フロントプレート１８の背面に重ね合わされていると共に、上下の取付壁２９，３０がフロントプレート１８の上下の端部に係止されていて、本体部１９がフロントプレート１８と一体的に上下方向Ｂに移動動自在とされている（受け箱６全体が上下方向Ｂに移動動自在とされている）。
【００２４】
また、固定フレーム５の後壁１４と、受け箱６の本体部１９の後壁２８との間には、受け箱６の上下位置（受け箱６内の引掛け部材７の上下位置）を調整する上下位置調整機構３２が設けられている。
この上下位置調整機構３２は、図３及び図４に示すように、固定フレーム５側に設けられたラック３３及びピニオンガイド３４と、受け箱６側に設けられていてラック３３に噛合するピニオン３５とを備えている。
ピニオン３５は、本体部１９の後壁２８背面の上下方向Ｂ中途部で且つ左右方向Ｃ中央部に配置されていて、前後方向Ａの軸心を有する。
【００２５】
このピニオン３５の中心側には、前方突出状に形成されていて、本体部１９の後壁２８に形成された挿通孔３６を挿通する突出部３７が形成され、この突出部３７の前面側には、ドライバー等の操作具を係合可能な係合溝３８が形成されており、カバープレート４の開口部８及びフロントプレート１８の開口部２１を通して外部からピニオン３５を回動操作可能としている。
前記挿通孔３６は左右方向Ｃに長い長孔に形成されていて、ピニオン３５は、受け箱６と一体的に上下動するが、受け箱６に対して挿通孔３６内で左右方向Ｃに相対移動可能である。
【００２６】
ラック３３は、固定フレーム５の後壁１４の前面側の左右一側に設けられている。
このラック３３は、本実施の形態では、固定フレーム５の後壁１４にプレス加工によって前方突出状に一体形成された噛合歯３９を上下方向Ｂに間隔をおいて配置してなり、且つ噛合歯３９は上方に向かうに従って左右方向Ｃ内方に移行する傾斜方向に配列されている。
ピニオンガイド３４は、固定フレーム５の後壁１４の前面側の左右他側に設けられていて、ラック３３と対向状に配置されている。
【００２７】
このピニオンガイド３４は、固定フレーム５の後壁１４にプレス加工によって前方突出状に形成されており、ラック３３の噛合歯３９の配列方向と平行に形成されている（下方に向かうに従って左右方向（対向方向）Ｃ内方に移行する傾斜状に形成されている）。
前記ピニオン３５は、ラック３３とピニオンガイド３４の間に配置されていて、ラック３３に噛合していると共に、ピニオンガイド３４の上側の面に接当しており、受け箱６及び引掛け部材７等の自重によって受け箱６が下がるのを防止している。
【００２８】
また、ピニオン３５は、固定フレーム５の後壁１４と、受け箱６の本体部１９の後壁２８との間で挟まれていて、ピニオン３５と、固定フレーム５の後壁１４及び受け箱６の本体部１９の後壁２８との間に適度な摩擦力があり、これによっても、受け箱６が下がるのが防止される。
前記構成の上下位置調整機構３２にあっては、ピニオン３５を軸心回りに回動させると、ピニオン３５がラック３３に噛合し、これによって受け箱６が上下に移動し、引掛け部材７の上下位置が調整される。
【００２９】
このとき、ピニオン３５は、ピニオンガイド３４に摺接し、これに案内されて挿通孔３６内を左右に移動し、ラック３３の噛合歯３９に良好に噛み合う。
図５及び図６に示すように、前記受け箱６のフロントプレート１８の上部には、ネジ挿通孔４１が形成され、受け箱６の本体部１９の後壁２８上部には、前記ネジ挿通孔４１と同心状にネジ挿通孔４２が形成され、これら挿通孔４１，４２にわたって、前側から前後位置調整ネジ４３が挿通されていると共に、止め輪４４によって抜け止めされており、これによって、前後位置調整ネジ４３が前後方向Ａの軸心回りに回動自在に支持されている。
【００３０】
また、前後位置調整ネジ４３の頭部は、フロントプレート１８のネジ挿通孔４１に支持されており、カバープレート４の開口部８を介して前後位置調整ネジ４３が回動操作可能とされている。
受け箱６内には、ホルダ４６が設けられ、このホルダ４６は、図５及び図６に示すように、前壁４７と、この前壁４７の上端から後方に延びる上壁４８と、この上壁４８の後端から下方に延びる延設壁４９とを備えており、このホルダ４６の前壁４７の上部には、挿通孔５０が形成されている。
【００３１】
引掛け部材７は、上部の基部５２側が、前記ホルダ４６の、前壁４７上部と延設壁４９との間に挿入状とされると共に、引掛け部材７の基部５２側には、ホルダ４６の挿通孔５０と同心状のネジ孔５３が形成されている。
前記前後位置調整ネジ４３は、ホルダ４６の挿通孔５０を挿通して、引掛け部材７のネジ孔５３に螺合している。
したがって、図５に実線及び仮想線で示すように、前後位置調整ネジ４３を軸心回りに回動操作することにより、引掛け部材７がホルダ４６と共に前後方向Ａに移動し、これにより、引掛け部材７の前後位置の調整が可能とされている。
【００３２】
なお、引掛け部材７及びホルダ４６の左右幅は、受け箱６の本体部１９の左右側壁２７間の間隔と略同じ寸法に形成されていて、引掛け部材７及びホルダ４６の回り止めが図られている。
引掛け部材７の下部側背面には、鎌錠の鎌部材が開口部８，２１を介して受け箱６内に前方から挿入して係合する係合面５４が形成されており、この係合面５４は、下方に向かうに従って前方に移行する傾斜状で且つ弧状の面に形成されており、引き戸を開く際に、鎌錠の鎌部材の先端部が外れる方向に案内されるように構成されている。
【００３３】
また、前記前後位置調整ネジ４３（雄ねじ）と、引掛け部材７のネジ孔５３（雌ねじ）とのネジ間には、かなりのクリアランスがあり、このネジのクリアランスによって、引掛け部材７は、ネジ孔５３と前後位置調整ネジ４３との螺合部分を支点として、前後方向Ａに揺動自在とされており、これによって、引掛け部材７の係合面５４が、上下方向Ｂに対して、前後に傾動（揺動）可能とされている（係合面５４が上下方向Ｂに対して前後に傾くように構成されている）。
また、ホルダ４６の前壁４７の下部には、前方に突出状で且つ前後に開口状の筒部５６が形成され、この筒部５６の内面側には雌ねじが形成されていて、筒部５６の内側の孔が前後方向Ａの軸心を有するネジ孔５７とされている。
【００３４】
この筒部５６のネジ孔５７には、傾き調整ネジ５９が螺合されており、この傾き調整ネジ５９は、受け箱６のフロントプレート１８に形成された切欠き部２２を介して回動操作可能とされている。
したがって、前記傾き調整ネジ５９を軸心回りに回動させることにより該傾き調整ネジ５９が前後方向に進退し、図６に実線及び仮想線で示すように、引掛け部材７の下部側が前後に揺動し、引掛け部材７の係合面５４の、上下方向Ｂに対する、前後方向Ａへの傾きが調整可能とされている。
【００３５】
前記構成の受け装置１にあっては、傾き調整ネジ５９が筒部５６のネジ孔５７から突出していない状態では、引掛け部材７は前後に揺動自在であり、この状態で、鎌錠の鎌部材を引掛け部材７から強引に外そうとした時、引掛け部材７は前方側に傾き、鎌部材が外れ易くなる。
そして、傾き調整ネジ５９を回動して筒部５６のネジ孔５７から突出後方に突出させると、引掛け部材７を後方側に傾けて固定できるので、その結果、鎌部材のかかり具合がよくなる。
【００３６】
したがって、傾き調整ネジ５９を進退させてその位置を調整することにより、鎌部材のかかり具合をベストな状態にすることができる。
また、戸枠２が傾いたときにあっても、戸枠２の傾きに応じて引掛け部材７の傾きを調整することにより、引掛け部材７に対して鎌部材をベストの状態で係合させることができる。
【００３７】
【発明の効果】
本発明によれば、戸枠に取り付けられる受け箱内に引掛け部材を設け、この引掛け部材に、引き戸に取り付けられる鎌錠の鎌部材が、受け箱内に前方側から挿入して係合する係合面を備え、この引掛け部材の係合面の、上下方向に対する、前後方向への傾きを調整自在としたことにより、引掛け部材に対する鎌部材のかかり具合を良好にすることができる。
また、引掛け部材を前後方向に位置調整自在としたことにより、引掛け部材に対する鎌部材のかかり具合をさらに良好にすることができる。
【００３８】
また、受け箱に、前後方向の軸心を有する前後位置調整ネジを軸心回りに回動自在に設け、この前後位置調整ネジに引掛け部材の基部側を螺合させ、前後位置調整ネジを回動することにより引掛け部材を前後方向に移動自在とし、前後位置調整ネジと引掛け部材との螺合部分のネジのクリアランスによって、引掛け部材の係合面が、上下方向に対して、前後方向へ傾くように構成されていることにより、簡単な構造で引掛け部材に対する鎌部材のかかり具合の調整が図れる。
また、引掛け部材と一体移動するホルダを設け、このホルダに、前後方向に進退して、引掛け部材の係合面の、上下方向に対する、前後方向への傾きを調整する傾き調整ネジを設けたことにより、引掛け部材に対する鎌部材のかかり具合の調整をするのに微妙な調整が可能となる。
【００３９】
また、戸枠に設けられる受け箱内に、引き戸に設けられる鎌錠の鎌部材が係合する引掛け部材を設け、戸枠に固定される固定フレームを設け、この固定フレームに対して前記受け箱が上下移動自在とされ、固定フレーム側に上下方向に所定間隔をおいて設けられた噛合歯を有するラックを設け、このラックの噛合歯に噛合して受け箱の上下位置を調整するピニオンを受け箱側に設けたことにより、引掛け部材の上下位置調整が容易に行えると共に微妙な調整が可能となる。
【図面の簡単な説明】
【図１】図２のＤ−Ｄ線矢示断面図である。
【図２】受け装置の正面図である。
【図３】図２のＥ−Ｅ線矢示断面図である。
【図４】引掛け部材の上下位置調整機構の正面図である。
【図５】引掛け部材の支持部分の側面断面拡大図である。
【図６】引掛け部材の支持部分の側面断面拡大図である。
【図７】引き戸が傾いた状態を示す側面図である。
【図８】鎌錠の側面断面図である。
【図９】鎌錠装置の側面断面図である。
【符号の説明】
２　　戸枠
５　　固定フレーム
６　　受け箱
７　　引掛け部材
３３　　ラック
３５　　ピニオン
３９　　噛合歯
４３　　前後位置調整ネジ
４６　　ホルダ
５４　　係合面
Ａ　　前後方向
Ｂ　　上下方向
【図１】
2004124383.tif 000003
【図２】
2004124383.tif 000004
【図３】
2004124383.tif 000005
【図４】
2004124383.tif 000006
【図５】
2004124383.tif 000007
【図６】
2004124383.tif 000008
【図７】
2004124383.tif 000009
【図８】
2004124383.tif 000010
【図９】
2004124383.tif 000011